(57)【特許請求の範囲】
【請求項１】
自車が旋回走行経路に沿って走行するように、前記自車を走行制御するコントローラを備える運転支援方法であって、
前記自車の前方道路が、そのときの車速を保ったままで旋回走行すると、横加速度の発生によりカーブ出口付近で乗員頭部の揺り返しの発生が予測されるカーブ路であるかどうかを検出し、
前記自車の前方道路が乗員頭部の揺り返しの発生が予測されるカーブ路である場合、カーブ出口付近の道路形状を取得し、
前記道路形状情報を入力し、前記自車が前記カーブ路から直線路に抜けるときに前記自車の操舵角が中立位置に戻る操舵中立戻し位置を、曲線と直線の境界を直線路側に越えた位置であって、且つ、道路幅員の中央位置よりカーブ外側の位置に設定し、
自車位置と前記操舵中立戻し位置を結ぶ旋回走行経路を演算し、
前記自車が前記旋回走行経路に沿って走行するように前記走行制御を行う
ことを特徴とする運転支援方法。
【請求項２】
請求項１に記載された運転支援方法において、
自車位置と前記操舵中立戻し位置を結び、前記カーブ路の道路形状及び道路幅員と前記自車の車幅により許容される範囲で、旋回半径を大きくする方向に前記旋回走行経路を演算し、
前記自車が前記旋回走行経路に沿って走行するように前記走行制御を行う
ことを特徴とする運転支援方法。
【請求項３】
請求項１又は２に記載された運転支援方法において、
前記操舵中立戻し位置に向かうカーブ出口付近で前記自車の操舵角を中立位置まで戻す際の戻し操舵速度を、カーブ入口付近で前記自車の操舵角を増加させる際の切り込み操舵速度より遅くするステアリング制御を行う
ことを特徴とする運転支援方法。
【請求項４】
請求項１から３までの何れか一項に記載された運転支援方法において、
前記操舵中立戻し位置より手前位置から前記操舵中立戻し位置へと向かうカーブ出口付近における前記自車の車速を、カーブ入口付近における前記自車の車速より遅くする車速制御を行う
ことを特徴とする運転支援方法。
【請求項５】
請求項１から４までの何れか一項に記載された運転支援方法において、
前記自車のタイヤと車体との間にダンパーアクチュエータを介装し、
前記操舵中立戻し位置に向かうカーブ出口付近で前記自車の車体ロール角が水平位置まで戻る際のロール角戻し速度を、横加速度の低下にしたがって水平位置まで戻るときのロール角戻し速度より遅くするサスペンション制御を行う
ことを特徴とする運転支援方法。
【請求項６】
請求項１から４までの何れか一項に記載された運転支援方法において、
前記自車の乗員シートと車体との間にシートアクチュエータを介装し、
前記操舵中立戻し位置に向かうカーブ出口付近で前記乗員シートが水平位置まで戻る際のシート戻し速度を、車体ロール角の変化にしたがって水平位置まで戻るときのシート戻し速度より遅くするシート制御を行う
ことを特徴とする運転支援方法。
【請求項７】
自車が旋回走行経路に沿って走行するように、前記自車を走行制御するコントローラを備える運転支援装置であって、
前記コントローラは、
前記自車の前方道路が、そのときの車速を保ったままで旋回走行すると、横加速度の発生によりカーブ出口付近で乗員頭部の揺り返しの発生が予測されるカーブ路であるかどうかを検出するカーブ路検出部と、
前記自車の前方道路が乗員頭部の揺り返しの発生が予測されるカーブ路である場合、カーブ出口付近の道路形状を取得する道路形状取得部と、
前記道路形状情報を入力し、前記自車が前記カーブ路から直線路に抜けるときに前記自車の操舵角が中立位置に戻る操舵中立戻し位置を、曲線と直線の境界を直線路側に越えた位置であって、且つ、道路幅員の中央位置よりカーブ外側の位置に設定する操舵中立戻し位置設定部と、
自車位置と前記操舵中立戻し位置を結ぶ旋回走行経路を演算する旋回走行経路演算部と、
前記自車が前記旋回走行経路に沿って走行するように前記走行制御を行うカーブ路支援制御部と、を有する
ことを特徴とする運転支援装置。
【発明の詳細な説明】
【技術分野】
【０００１】  本開示は、運転支援方法及び運転支援装置に関する。
【背景技術】
【０００２】  従来、走行路のカーブ走行時における車両走行の追従性に優れた操舵支援制御を行うことを目的とする操舵支援装置が知られている（例えば、特許文献１参照）。この装置は、車両の前方の走行路を撮像した画像に基づき車両が走行路に沿って走行するように操舵機構に操舵トルクを付与する操舵支援装置１である。走行路におけるカーブ出口を検出し、車両がカーブ出口を走行している場合に、カーブ出口時以外の場合と比べてハンドル２を切り戻す際の操舵トルクの変化量を大きくする。これによりカーブ出口でのハンドルの切り戻しの遅れを抑制することができ、車両を走行路に追従して走行させることができる。
【先行技術文献】
【特許文献】
【０００３】
【特許文献１】特開２００７−３８６９６号公報
【発明の概要】
【発明が解決しようとする課題】
【０００４】  特許文献１で開示された技術では、カーブ走行時における車両走行の迫従性を重視し、カーブ出口でのハンドルの切り戻しの遅れを抑制している。このため、カーブ出口付近でのハンドルの戻し操作速度が速くなってしまい、操舵角を中立位置に戻す中立戻し操舵を停止した直後の乗員の揺り返しが大きくなる。つまり、素早い中立戻し操舵により、中立戻し操舵前に旋回外側へ発生していた横加速度が一気にゼロに向かって低下すると、旋回外側に振られていた乗員の上半身が、反対の旋回内側に振られてしまう。この結果、遭遇頻度が高いカーブ路を走行すると、カーブ出口付近にて大きな横振れ量によって乗員頭部が揺り返されることになり、車酔いにかかりやすくなる、という問題があった。【０００５】  本開示は、上記問題に着目してなされたもので、カーブ路走行シーンにおいて、乗員頭部の揺り返しによる車酔いを抑制することを目的とする。
【課題を解決するための手段】
【０００６】  上記目的を達成するため、本開示は、自車が旋回走行経路に沿って走行するように、自車を走行制御するコントローラを備え、以下の手順による運転支援方法としている。
自車の前方道路が、そのときの車速を保ったままで旋回走行すると、横加速度の発生によりカーブ出口付近で乗員頭部の揺り返しの発生が予測されるカーブ路であるかどうかを検出する。
自車の前方道路が乗員頭部の揺り返しの発生が予測されるカーブ路である場合、カーブ出口付近の道路形状を取得する。
道路形状情報を入力し、自車がカーブ路から直線路に抜けるときに自車の操舵角が中立位置に戻る操舵中立戻し位置を、曲線と直線の境界を直線路側に越えた位置であって、且つ、道路幅員の中央位置よりカーブ外側の位置に設定する。
自車位置と操舵中立戻し位置を結ぶ旋回走行経路を演算する。
自車が旋回走行経路に沿って走行するように走行制御を行う。
【発明の効果】
【０００７】  このように、カーブ出口付近において乗員の揺り返し横振れ量を低減することができる操舵中立戻し位置となる旋回走行経路に沿って走行するように走行制御するので、カーブ路走行シーンにおいて、乗員頭部の揺り返しによる車酔いを抑制することができる。
【図面の簡単な説明】
【０００８】
【図１】実施例１の運転支援方法及び運転支援装置が適用された自動運転制御システムを示す全体システム図である。
【図２】実施例１の自動運転制御ユニットに備える旋回走行制御コントローラを示す制御ブロック図である。
【図３】実施例１の旋回走行制御コントローラにて実行される揺り返し抑制制御処理の流れを示すフローチャートである。
【図４】比較例においてカーブ路走行シーンのカーブ出口付近で乗員頭部の揺り返し量が大きくなるメカニズムを示す揺り返しメカニズム説明図である。
【図５】実施例１においてカーブ路走行シーンのカーブ出口付近で揺り返しが抑制される作用を示す揺り返し抑制作用説明図である。
【図６】同じカーブ路を同じ車速により走行したときの比較例と実施例１での横Ｇの発生を比較した特性を示す横Ｇ比較特性図である。
【図７】同じカーブ路を同じ車速により走行したときの比較例と実施例１での乗員横振れ量を比較した特性を示す乗員横振れ量比較特性図である。
【図８】実施例１でのカーブ路走行中においてカーブ出口付近での戻し操舵速度を切り込み操舵速度より遅らせる作用を示すステアリング制御説明図である。
【図９】実施例１でのカーブ路走行中においてカーブ出口付近での車速をカーブ入口付近の車速より減速させる作用を示す車速制御説明図である。
【図１０】カーブ路走行中に横Ｇにより車体ロール角が発生する作用を示す車体ロール発生作用説明図である。
【図１１】カーブ路走行でのカーブ出口付近において車体ロール角を水平に戻す速度を遅らせる作用を示すサスペンション制御説明図である。
【図１２】カーブ路走行中に乗員シートに傾斜角が発生する作用を示す乗員シート傾斜角発生作用説明図である。
【図１３】カーブ路走行でのカーブ出口付近において乗員シート傾斜角を水平に戻す速度を遅らせる作用を示すシート制御説明図である。
【発明を実施するための形態】
【０００９】  以下、本開示による運転支援方法及び運転支援装置を実施するための形態を、図面に示す実施例１に基づいて説明する。
【実施例１】
【００１０】  実施例１における運転支援方法及び運転支援装置は、自動運転モードを選択すると、生成された目標走行経路に沿って走行するように駆動／制動／舵角が自動制御される自動運転車両（運転支援車両の一例）に適用したものである。以下、実施例１の構成を、「全体システム構成」、「旋回走行制御コントローラの制御ブロック構成」、「揺り返し抑制制御処理構成」に分けて説明する。【００１１】  ［全体システム構成］
図１は実施例１の運転支援方法及び運転支援装置が適用された自動運転制御システムを示す。以下、図１に基づいて全体システム構成を説明する。【００１２】  自動運転システムＡは、図１に示すように、車載センサ１と、地図データ記憶部２と、外部データ通信器３と、自動運転制御ユニット４と、アクチュエータ５と、表示デバイス６と、を備えている。【００１３】  車載センサ１は、カメラ１１と、レーダー１２と、ＧＰＳ１３と、車載データ通信器１４と、を有する。車載センサ１により取得したセンサ情報は、自動運転制御ユニット４へ出力される。【００１４】  カメラ１１は、自動運転で求められる機能として、車線や先行車や歩行者等の自車の周囲情報を画像データにより取得する機能を実現する周囲認識センサである。このカメラ１１は、例えば、自車の前方認識カメラ、後方認識カメラ、右方認識カメラ、左方認識カメラ等を組み合わせることにより構成される。【００１５】  カメラ１１では、自車走行路上物体・車線・自車走行路外物体（道路構造物、先行車、後続車、対向車、周囲車両、歩行者、自転車、二輪車）・自車走行路（道路白線、道路境界、停止線、横断歩道）・道路標識（制限速度）等が検知される。【００１６】  レーダー１２は、自動運転で求められる機能として、自車周囲の物体の存在を検知する機能と共に、自車周囲の物体までの距離を検知する機能を実現する測距センサである。ここで、「レーダー１２」とは、電波を用いたレーダーと、光を用いたライダーと、超音波を用いたソナーと、を含む総称をいう。レーダー１２としては、例えば、レーザーレーダー、ミリ波レーダー、超音波レーダー、レーザーレンジファインダー等を用いることができる。このレーダー１２は、例えば、自車の前方レーダー、後方レーダー、右方レーダー、左方レーダー等を組み合わせることにより構成される。【００１７】  レーダー１２では、自車走行路上物体・自車走行路外物体（道路構造物、先行車、後続車、対向車、周囲車両、歩行者、自転車、二輪車）等の位置が検知されると共に、各物体までの距離が検知される。なお、視野角が不足すれば、適宜追加しても良い。【００１８】  ＧＰＳ１３は、ＧＮＳＳアンテナ１３ａを有し、衛星通信を利用することで停車中／走行中の自車位置（緯度・経度）を検知する自車位置センサである。
なお、「ＧＮＳＳ」は「Ｇｌｏｂａｌ  Ｎａｖｉｇａｔｉｏｎ  Ｓａｔｅｌｌｉｔｅ  Ｓｙｓｔｅｍ：全地球航法衛星システム」の略称であり、「ＧＰＳ」は「Ｇｌｏｂａｌ  Ｐｏｓｉｔｉｏｎｉｎｇ  Ｓｙｓｔｅｍ：グローバル・ポジショニング・システム」の略称である。【００１９】  車載データ通信器１４は、外部データ通信器３との間で送受信アンテナ３ａ，１４ａを介して無線通信を行うことで、自車で取得することができない情報を外部から取得する外部データセンサである。【００２０】  外部データ通信器３は、例えば、自車の周辺を走行する他車に搭載されたデータ通信器の場合、自車と他車の間で車車間通信を行う。この車車間通信により、他車が保有する様々な情報のうち、自車で必要な情報を車載データ通信器１４からのリクエストにより取得することができる。【００２１】  外部データ通信器３は、例えば、インフラストラクチャ設備に設けられたデータ通信器の場合、自車とインフラストラクチャ設備の間でインフラ通信を行う。このインフラ通信により、インフラストラクチャ設備が保有する様々な情報のうち、自車で必要な情報を車載データ通信器１４からのリクエストにより取得することができる。例えば、地図データ記憶部２に保存されている地図データでは不足する情報や地図データから変更された情報がある場合、不足情報／変更情報を補うことができる。また、自車が走行を予定している目標走行経路上での渋滞情報や走行規制情報等の交通情報を取得することもできる。【００２２】  地図データ記憶部２は、緯度経度と地図情報が対応づけられた、いわゆる電子地図データが格納された車載メモリにより構成される。地図データ記憶部２に格納された地図データは、ＧＰＳ地図データより精度が高く、少なくとも複数車線を有する道路で各車線の認識ができるレベルの精度を持つ高精度地図（「ＨＤマップ」と呼ばれる。）による高精度地図データである。この高精度地図データを用いることにより、自動運転において複数車線の中で自車がどの車線を走るかという目標走行経路を生成することができる。そして、ＧＰＳ１３にて検知される自車位置を自車位置情報として認識すると、自車位置を中心とする高精度地図データが自動運転制御ユニット４へと送られる。【００２３】  高精度地図データには、各地点に対応づけられた道路情報を有し、道路情報は、ノードと、ノード間を接続するリンクにより定義される。道路情報は、道路の位置／領域により道路を特定する情報と、道路ごとの道路種別、道路ごとの車線幅、道路の形状情報とを含む。道路情報は、各道路リンクの識別情報ごとに、交差点の位置、交差点の進入方向、交差点の種別その他の交差点に関する情報を対応づけて記憶されている。また、道路情報は、各道路リンクの識別情報ごとに、道路種別、車線幅、道路形状、直進の可否、進行の優先関係、追い越しの可否（隣接レーンへの進入の可否）、制限速度、標識、その他の道路に関する情報を対応づけて記憶されている。【００２４】  自動運転制御ユニット４は、車載センサ１や地図データ記憶部２からの入力情報を統合処理し、目標走行経路と目標車速プロファイル（加速プロファイルや減速プロファイルを含む。）等を生成する機能を有する。即ち、現��地から目的地までの走行車線レベルによる目標走行経路を、地図データ記憶部２からの高精度地図データや所定のルート検索手法等に基づいて生成すると共に、目標走行経路に沿った目標車速プロファイル等を生成する。さらに、目標走行経路に沿う自車の停車中／走行中、車載センサ１による自車周囲のセンシング結果により自動運転を維持できないと判断されると、自車周囲のセンシング結果に基づいて、目標走行経路や目標車速プロファイル等を逐次修正する。【００２５】  自動運転制御ユニット４は、目標走行経路が生成されると、目標走行経路に沿って走行するように駆動指令値／制動指令値／舵角指令値を演算し、演算した指令値を各アクチュエータに出力し、自車を目標走行経路に沿って走行／停止させる。具体的には、駆動指令値の演算結果を駆動アクチュエータ５１へ出力し、制動指令値の演算結果を制動アクチュエータ５２へ出力し、舵角指令値の演算結果を舵角アクチュエータ５３へ出力する。【００２６】  アクチュエータ５は、自車を目標走行経路に沿って走行／停止させる制御アクチュエータであり、駆動アクチュエータ５１と、制動アクチュエータ５２と、舵角アクチュエータ５３と、を有する。【００２７】  駆動アクチュエータ５１は、自動運転制御ユニット４から駆動指令値を入力し、駆動輪へ出力する駆動力を制御するアクチュエータである。駆動アクチュエータ５１としては、例えば、エンジン車の場合にエンジンを用い、ハイブリッド車の場合にエンジンとモータ／ジェネレータ（力行）を用い、電気自動車の場合にモータ／ジェネレータ（力行）を用いる。【００２８】  制動アクチュエータ５２は、自動運転制御ユニット４から制動指令値を入力し、駆動輪へ出力する制動力を制御するアクチュエータである。制動アクチュエータ５２としては、例えば、油圧ブースタや電動ブースタやブレーキ液圧アクチュエータやブレーキモータアクチュエータやモータ／ジェネレータ（回生）等を用いる。【００２９】  舵角アクチュエータ５３は、自動運転制御ユニット４から舵角指令値を入力し、操舵輪の転舵角を制御するアクチュエータである。なお、舵角アクチュエータ５３としては、ステアリングシステムの操舵力伝達系に設けられる転舵モータ等を用いる。【００３０】  表示デバイス６は、自動運転による停車中／走行中、自車が地図上で何処を移動しているか等を画面表示し、ドライバーや乗員に自車位置視覚情報を提供するデバイスである。この表示デバイス６は、自動運転制御ユニット４により生成された目標走行経路情報や自車位置情報や目的地情報等を入力し、表示画面に、地図と道路と目標走行経路（自車の走行ルート）と自車位置と目的地等を視認しやすく表示する。【００３１】  ここで、自動運転システムＡの自動運転制御ユニット４には、自車が旋回走行経路に沿って走行するように、自車を走行制御する旋回走行制御コントローラ４０（コントローラ）を備える。【００３２】  ［旋回走行制御コントローラの制御ブロック構成］
図２は自動運転制御ユニット４に備える旋回走行制御コントローラ４０を示す。以下、図２に基づいて旋回走行制御コントローラ４０の制御ブロック構成を説明する。【００３３】  旋回走行制御コントローラ４０は、図２に示すように、カーブ路検出部４０ａと、道路形状取得部４０ｂと、操舵中立戻し位置設定部４０ｃと、自車位置情報取得部４０ｄと、旋回走行経路演算部４０ｅと、カーブ路支援制御部４０ｆと、を備えている。【００３４】  カーブ路検出部４０ａは、車載センサ１からの必要情報と、地図データ記憶部２から自車の前方道路情報を入力する。そして、自車の前方道路がカーブ路であるかどうかを検出する。【００３５】  ここで、カーブ路であるかどうかの検出は、例えば、そのときの車速を保ったままで旋回走行すると、横加速度の発生によりカーブ出口付近での揺り返しによる車酔いの発生が予測されるカーブ路であるかどうかの検出としてもよい。カーブ路検出部４０ａにおいてカーブ路が検出されると、例えば、カーブ路検出フラグを出力する。【００３６】  道路形状取得部４０ｂは、カーブ路検出部４０ａから出力されるカーブ路検出フラグを入力する。そして、カーブ路検出フラグの入力により自車の前方道路がカーブ路であることが確認された場合、カーブ出口付近の道路形状を取得する。ここで、道路形状取得部４０ｂは、少なくともカーブ出口付近の道路形状を取得するものである。つまり、道路形状取得部４０ｂでは、旋回走行経路演算部４０ｅでの旋回走行経路の演算に備え、自車位置周囲の道路形状からカーブ路を出た後の道路形状までの道路形状情報を取得しておく。【００３７】  操舵中立戻し位置設定部４０ｃは、道路形状取得部４０ｂからの道路形状情報を入力する。そして、カーブ路から直線路に抜けるときに操舵角を中立位置に戻す操舵中立戻し位置を、曲線と直線の境界を直線路側に越えた位置であって、且つ、道路幅員の中央位置よりカーブ外側の位置に設定する。【００３８】  ここで、「操舵中立戻し位置」のうち自車進行方向の縦位置は、カーブ路に沿って曲線と直線の境界線からの乖離距離により設定され、固定位置に設定しても良いし、また、自車や道路状況に応じた可変位置に設定しても良い。「操舵中立戻し位置」のうち道路幅方向の横位置は、道路幅員の中央位置からの乖離距離により設定され、固定位置に設定しても良いし、また、自車や道路状況に応じた可変位置（但し、カーブ外側の走路境界により制限有り）に設定しても良い。例えば、「縦位置」は、旋回走行により自車に作用する最大横加速度が高いと推定されるほど、曲線と直線の境界線からの乖離距離を長くする位置に設定する。例えば、「横位置」は、道路幅員と自車の車幅に応じて最もカーブ外側を自車が走行することになる位置に設定する。【００３９】  自車位置情報取得部４０ｄは、カーブ路検出部４０ａから出力されるカーブ路検出フラグを入力する。そして、カーブ路検出フラグの入力により自車の前方道路がカーブ路であることが確認された場合、道路上において自車位置を特定する情報を取得する。【００４０】  旋回走行経路演算部４０ｅは、道路形状取得部４０ｂからの道路形状情報と、操舵中立戻し位置設定部４０ｃからの操舵中立戻し位置情報と、自��位置情報取得部４０ｄから自車位置情報と、車速センサ１５及び舵角センサ１６からの情報とを入力する。そして、自車位置と操舵中立戻し位置を結び、カーブ路の道路形状及び道路幅員と自車の車幅により許容される範囲で、旋回半径を大きくする方向に旋回走行経路を演算する。【００４１】  ここで、「旋回半径を大きくする方向」とは、カーブ路の中盤でカーブ路の内側に軌跡を寄せ、カーブ出口側でカーブ路の外側に軌跡を寄せることで旋回半径を大きくし、旋回中の操舵角を小さく抑えることができる旋回走行経路のことをいう。旋回走行経路は、例えば、カーブ路の道路形状及び道路幅員と自車の車幅により許容される範囲で、最大又は最大域の旋回半径を確保するように演算する。【００４２】  カーブ路支援制御部４０ｆは、旋回走行経路演算部４０ｅからの旋回走行経路の演算結果を入力する。そして、旋回走行経路の演算結果が入力されると、旋回走行経路に沿って走行する走行制御を基本制御とするカーブ路支援制御を開始する。このカーブ路支援制御は、カーブ路支援制御中にカーブ路を通過するか、若しくは、舵角中立位置に戻るとカーブ路支援制御を終了する。なお、旋回走行経路に沿う走行制御以外のカーブ路支援制御の開始条件としては、少なくとも操舵中立戻し位置の設定が確認されると、必ずしも旋回走行経路の演算結果が入力されなくても良い。つまり、操舵中立戻し位置の設定をカーブ路支援制御の開始条件としても良い。【００４３】  カーブ路支援制御部４０ｆからの指令により動作するアクチュエータとしては、舵角アクチュエータ５３、駆動アクチュエータ５１、ダンパーアクチュエータ５４、シートアクチュエータ５５、等を備える。なお、ダンパーアクチュエータ５４とシートアクチュエータ５５は、何れも姿勢制御（車体姿勢、乗員シート姿勢）を行うものであるため、少なくとも一方のアクチュエータを備えるようにしても良い。【００４４】  舵角アクチュエータ５３は、ステアリングシステムの操舵力伝達系に設けられたステアリング制御アクチュエータである。駆動アクチュエータ５１は、走行駆動源に設けられ、スロットルバルブの開閉制御等によって自車の車速を制御する車速制御アクチュエータである。ダンパーアクチュエータ５４は、自車の左右のタイヤと車体との間に介装され、左右のタイヤに対する車体姿勢を制御するサスペンション制御アクチュエータである。シートアクチュエータ５５は、乗員シートと車体との間に介装され、車体に対する乗員シート姿勢を制御するシート制御アクチュエータである。以下、各アクチュエータ５３、５１、５４、５５でのカーブ路支援制御例を説明する。【００４５】  （ステアリング制御）
カーブ路走行シーンにおいて、操舵中立戻し位置が設定され、旋回走行経路が演算されると、自車を演算された旋回走行経路に沿って走行させる舵角を付与するステアリング制御を行う。さらに、操舵中立戻し位置が設定されると、操舵中立戻し位置に向かうカーブ出口付近で操舵角を中立位置まで戻す際の戻し操舵速度を、カーブ入口付近で操舵角を増加させる際の切り込み操舵速度より遅くするステアリング制御を行う（図８参照）。【００４６】  （車速制御）
カーブ路走行シーンにおいて、操舵中立戻し位置が設定されると、操舵中立戻し位置より手前位置から操舵中立戻し位置へと向かうカーブ出口付近における自車の車速を、カーブ入口付近における自車の車速より遅くする車速制御を行う（図９参照）。【００４７】  （サスペンション制御）
カーブ路走行シーンにおいて、操舵中立戻し位置が設定されると、操舵中立戻し位置に向かうカーブ出口付近で車体ロール角が水平位置まで戻る際のロール角戻し速度を、横加速度の低下にしたがって水平位置まで戻るときのロール角戻し速度より遅くするサスペンション制御を行う（図１０、図１１参照）。【００４８】  （シート制御）
カーブ路走行シーンにおいて、操舵中立戻し位置が設定されると、操舵中立戻し位置に向かうカーブ出口付近で乗員シートが水平位置まで戻る際のシート戻し速度を、車体ロール角の変化にしたがって水平位置まで戻るときのシート戻し速度より遅くするシート制御を行う（図１２、図１３参照）。【００４９】  ［揺り返し抑制制御処理構成］
図３は実施例１の旋回走行制御コントローラ４０にて実行される揺り返し抑制制御処理の流れを示す。以下、図３の各ステップについて説明する。【００５０】  ステップＳ１では、スタート、又は、Ｓ２でのカーブ路ではないとの判断に続き、地図及び車載センサ１から、自車の前方道路の形状を検出し、ステップＳ２へ進む。【００５１】  ステップＳ２では、Ｓ１での前方道路形状の検出に続き、自車の前方道路がカーブ路であるか否かを判断する。ＹＥＳ（カーブ路である）の場合はステップＳ３へ進み、ＮＯ（カーブ路ではない）の場合はステップＳ１へ戻る。【００５２】  ステップＳ３では、Ｓ２でのカーブ路であるとの判断に続き、カーブ出口付近の道路形状を取得し、ステップＳ４へ進む。【００５３】  ステップＳ４では、Ｓ３でのカーブ出口付近の道路形状の取得に続き、カーブ出口付近の直線部（曲線と直線の境界を越えた直線側）で、且つ、カーブ外側の走路境界に基づいて、操舵中立戻し位置を設定し、ステップＳ５へ進む。【００５４】  ステップＳ５では、ステップＳ４での操舵中立戻し位置の設定に続き、車速と舵角と自車位置情報を取得し、ステップＳ６へ進む。【００５５】  ここで、自車位置情報とは、カーブ路に対する自車の現在位置（縦位置、横位置）と自車の前後方向軸が向いている方角、等をいう。【００５６】  ステップＳ６では、Ｓ５での車速と舵角と自車位置情報の取得に続き、操舵中立戻し位置と、自車の位置と状態に基づいて、自車軌跡（該当場所で自車最外周の旋回半径Ｒが最大となる軌跡）である旋回走行経路を演算し、ステップＳ７へ進む。【００５７】  ステップＳ７では、Ｓ６での旋回走行経路の演算に続き、自車軌跡が演算可能であるか否かを判断する。ＹＥＳ（自車軌跡が演算可能）の場合はステップＳ９へ進み、ＮＯ（自車軌跡が演算不可能）の場合はステップＳ８へ進む。【００５８】  ここで、「自車軌跡が演算可能／演算不可能」の判断は、自車軌跡である旋回走行経路を演算するに際し、操舵中立戻し位置の設定がないと、演算が成立しないとして自車軌跡が演算不可能と判断する。逆に、操舵中立戻し位置が設定されると、演算が成立するとして自車軌跡が演算可能と判断する。【００５９】  ステップＳ８では、Ｓ７での自車軌跡が演算不可能であるとの判断に続き、通常の旋回制御を実行し、エンドへ進む。【００６０】  ここで、「通常の旋回制御」とは、カーブ路支援制御を実行することなく、自動運転による走行制御（加速、減速、操舵、サスペンション制御等）のみを実行することをいう。【００６１】  ステップＳ９では、Ｓ７でのＹＥＳとの判断、或いは、Ｓ１０でのＮＯとの判断に続き、自動運転の走行制御（加速、減速、操舵、サスペンション制御等）に反映するカーブ路支援制御（≒横Ｇが小さくなる動き）を実行し、ステップＳ１０へ進む。【００６２】  ステップＳ１０では、Ｓ９でのカーブ路支援制御の実行に続き、カーブ通過か、若しくは、舵角中立に戻ったかのカーブ路支援制御終了条件を判断する。ＹＥＳ（カーブ路支援制御終了条件の成立）の場合はエンドへ進み、ＮＯ（カーブ路支援制御終了条件の不成立）の場合はステップＳ９へ戻る。【００６３】  次に、実施例１の作用を、「背景技術」、「揺り返し��制制御作用」、「揺り返しを抑えるカーブ路支援制御作用」に分けて説明する。なお、以下の説明において、横加速度を「横Ｇ」という。【００６４】  ［背景技術］
カーブ出口におけるハンドルの切り戻しの遅れの抑制を支援する技術として、特開２００７−３８６９６号公報に記載された技術が知られている。本従来技術では、『走行路の曲率の変化に基づいてカーブ出口を検出』し、ハンドルを切り増しから切り戻しにする際の操舵トルクの変化量を大きくして、カーブ出口でのハンドル切り遅れが発生しづらいようにしている。【００６５】  しかしながら、上記従来技術では、ハンドルの戻し操作速度が速くなってしまい、ハンドル中立位置で操作を停止した直後の揺り返しが大きくなる。そして、乗員は、揺り返し発生位置が予測できずに、車両の横Ｇに対抗するために自身が発生させていた抗力を抜くタイミングがずれて、反対方向に身体が振られてしまう。これによって、乗員頭部も大きく車幅方向に振られ、乗員が車酔い（乗り物酔い）にかかりやすい、といった課題がある。【００６６】  以下、図４に示す比較例に基づいてカーブ路走行シーンのカーブ出口付近で乗員頭部の揺り返しによる横振れ量が大きくなるメカニズムについて説明する。
なお、図４において、Ｖは自車、Ｃｉｎはカーブ入口境界線、Ｃｏｕｔはカーブ出口境界線、Ｌｃは道路中央線、Ｐｉｎはカーブ入口点、Ｐ１’は第１中間点、Ｐ２’は第２中間点、Ｐｏｕｔはカーブ出口点、Ｄ’は旋回走行経路である。また、図４において、Ｓは乗員シート、Ｈは乗員である。【００６７】  比較例の場合、カーブ路から直線路に抜けるときに操舵角を中立位置に戻す操舵中立戻し位置を、曲線と直線の境界であるカーブ出口境界線Ｃｏｕｔ上のカーブ出口点Ｐｏｕｔに設定している。そして、旋回走行経路Ｄ’は、カーブ入口点Ｐｉｎとカーブ出口点Ｐｏｕｔを結び、カーブ路の道路形状及び道路幅員と自車Ｖの車幅により許容される範囲で描いた経路としている。具体的な旋回走行経路Ｄ’は、カーブ入口点Ｐｉｎと第１中間点Ｐ１’を結ぶ軌跡をクロソイド（Ｃｌｏｔｈｏｉｄ）曲線とし、第１中間点Ｐ１’と第２中間点Ｐ２’を結ぶ軌跡を一定Ｒによる円弧曲線とし、第２中間点Ｐ２’とカーブ出口点Ｐｏｕｔを結ぶ軌跡をクロソイド曲線としている。なお、「クロソイド曲線」とは、車速を一定としハンドルを一定の角速度で回したときに車両が描く軌跡として知られている曲線をいう。【００６８】  比較例の旋回走行経路Ｄ’を旋回走行するとき、まず、カーブ入口付近では、乗員シートＳに対し乗員Ｈの上半身はシートクッションに対して垂直な着座姿勢である（図４の矢印Ｂ１の枠内）。【００６９】  そして、自車Ｖがカーブ入口点Ｐｉｎから第１中間点Ｐ１’を通過すると旋回外側に作用する横Ｇが増大し、第１中間点Ｐ１’と第２中間点Ｐ２’を通過するときは増大した一定の横Ｇが自車Ｖの車体に作用する。このため、乗員Ｈの上半身は乗員シートＳに対して垂直な着座姿勢から車両の横Ｇによって旋回外側に傾く。このとき、乗員Ｈは、車両の横Ｇに対抗する抗力Ｆ（乗員Ｈの筋力による。）を横Ｇとは反対の旋回内側方向に出し、上半身が過度に旋回外側へ傾くのを抑える（図４の矢印Ｂ２の枠内）。【００７０】  そして、第２中間点Ｐ２’からカーブ出口点Ｐｏｕｔに向かって旋回走行すると、旋回外側に作用する横Ｇが減少する。そして、カーブ出口点Ｐｏｕｔの直前位置からハンドルを中立位置まで戻すと、カーブ出口点Ｐｏｕｔの位置で横Ｇが横Ｇ＝０になるが、乗員Ｈの横Ｇに対抗する抗力Ｆを抜くタイミングが遅れると、抗力Ｆが残ることになる（図４の矢印Ｂ３の枠内）。【００７１】  よって、カーブ路走行シーンのカーブ出口付近では、中立戻し操舵により中立戻し操舵前に旋回外側へ発生していた横Ｇが一気にゼロに向かって低下することに加え、抗力Ｆが残っているため、乗員Ｈの上半身が旋回内側に振られる。車両の横Ｇによって旋回外側に傾いていた乗員Ｈの上半身が、中立戻し操舵直後に旋回内側に振られることで、乗員頭部の揺り返しによる横振れ量が大きくなる（図４の矢印Ｂ４の枠内）。【００７２】  即ち、比較例での車両の横Ｇ特性は、図６の破線特性ＹＧ１に示すように、カーブ入口点Ｐｉｎから第１中間点Ｐ１’までは横Ｇが上昇し、第１中間点Ｐ１’と第２中間点Ｐ２’までは一定の横Ｇになり、第２中間点Ｐ２’からカーブ出口点Ｐｏｕｔまでは横Ｇ＝０まで低下する。そして、比較例での乗員横振れ量は、図７の破線特性ＹＳ１に示すように、カーブ入口点Ｐｉｎからカーブ出口点Ｐｏｕｔまでの旋回外側への横振れ量と、カーブ出口点Ｐｏｕｔ直後の揺り返しによる旋回内側への横振れ量とを合わせた横振れ量になる。つまり、乗員頭部の揺り返しによる横振れ量が大きくなり、この揺り返しが乗員の車酔いの要因となっている。【００７３】  ［揺り返し抑制制御作用］
本開示は、上記課題に着目してなされたものである。課題を解決する手段として、カーブ路から直線路に抜けるときに操舵角を中立位置に戻す操舵中立戻し位置を、曲線と直線の境界を直線路側に越えた位置であって、且つ、道路幅員の中央位置よりカーブ外側の位置に設定する運転支援方法を採用した。【００７４】  即ち、自車の前方道路にカーブ路が検出されると、図３のフローチャートにおいて、Ｓ１→Ｓ２→Ｓ３→Ｓ４へと進む。そして、Ｓ４では、カーブ出口付近の直線部（曲線と直線の境界を越えた直線側）で、且つ、カーブ外側の走路境界に基づいて、図５に示すように、操舵中立戻し位置Ｐｓが設定される。【００７５】  このように、操舵中立戻し位置Ｐｓを、曲線と直線の境界であるカーブ出口境界線Ｃｏｕｔを直線路側に越えた位置にしている。このため、比較例のように、操舵中立戻し位置Ｐｓをカーブ出口境界線Ｃｏｕｔ上のカーブ出口点Ｐｏｕｔにする場合に比べ、中立位置へ操舵を戻すタイミングを遅らせることができるし、中立位置への操舵戻し速度等を遅らせることもできる。よって、乗員Ｈの横Ｇに対抗する抗力Ｆを抜くタイミングが遅れることを防止できるし、旋回外側から旋回内側への揺り返しの変化を緩やかにすることができ、旋回内側への横振れ量が小さく抑えられる。【００７６】  操舵中立戻し位置Ｐｓを、操舵中立戻し位置を道路幅員の中央位置（道路中央線Ｌｃの位置）よりカーブ外側の位置に設定している。このため、比較例のように、操舵中立戻し位置Ｐｓをカーブ出口境界線Ｃｏｕｔ上のカーブ出口点Ｐｏｕｔにする場合に比べ、自車軌跡の旋回半径を大きく設定することができる。よって、カーブ路走行中に発生する横Ｇの大きさを低下させることができ、旋回外側への横振れ量が小さく抑えられる。【００７７】  そして、旋回内側への横振れ量を小さく抑える作用と、旋回外側への横振れ量を小さく抑える作用との相乗作用により、カーブ路走行シーンにおいて、乗員頭部の揺り返しによる車酔いを抑制することができる。【００７８】  以下、図５〜図７に基づいてカーブ路走行シーンのカーブ出口付近で乗員頭部の揺り返しによる横振れ量が抑制される揺り返し抑制制御作用について説明する。【００７９】  実施例１の場合、操舵中立戻し位置Ｐｓが設定されると、図３のフローチャートにおいて、Ｓ４からＳ５→Ｓ６へと進み、Ｓ６では、旋回走行経路Ｄが演算される。旋回走行経路Ｄは、自車位置（ここでは、説明を簡単にするためにカーブ入口点Ｐｉｎとする。）と操舵中立戻し位置Ｐｓを結び、カーブ路の道路形状及び道路幅員と自車Ｖの車幅により許容される範囲で、旋回半径を大きくする方向に描いた経路としている。具体的な旋回走行経路Ｄは、カーブ入口点Ｐｉｎと第１中間点Ｐ１を結ぶ軌跡をクロソイド曲線とし、第１中間点Ｐ１と第２中間点Ｐ２を結ぶ軌跡を一定Ｒによる円弧曲線とし、第２中間点Ｐ２と操舵中立戻し位置Ｐｓを結ぶ軌跡をクロソイド曲線としている。【００８０】  よって、実施例１の旋回走行経路Ｄの旋回半径は、比較例の旋回走行経路Ｄ’の旋回半径よりも大きくなる。そして、実施例１の旋回走行経路Ｄを旋回走行するとき、まず、カーブ入口付近では、比較例と同様に、乗員シートＳに対し乗員Ｈの上半身は���員シートＳに対して垂直な着座姿勢である。【００８１】  そして、自車Ｖがカーブ入口点Ｐｉｎから第１中間点Ｐ１を通過すると旋回外側に作用する横Ｇが増大し、第１中間点Ｐ１と第２中間点Ｐ２を通過するときは増大した一定の横Ｇ（＜比較例の横Ｇ）が自車Ｖの車体に作用する。このため、乗員Ｈの上半身は乗員シートＳに対して垂直な着座姿勢から車両の横Ｇによって旋回外側に傾く。しかし、旋回半径の相違に伴って比較例に比べ車両の横Ｇが低下することで、乗員Ｈの上半身の旋回外側への傾き角度は小さくなる。これに伴って、乗員Ｈの上半身が過度に旋回外側へ傾くのを抑えるため、乗員Ｈの筋力により車両の横Ｇに対抗する方向に加える抗力Ｆも小さくなる。【００８２】  そして、第２中間点Ｐ２から操舵中立戻し位置Ｐｓに向かって旋回走行すると、旋回外側に作用する横Ｇが減少する。そして、操舵中立戻し位置Ｐｓの直前位置からハンドルを中立位置まで戻すと、操舵中立戻し位置Ｐｓの位置で横Ｇ＝０になる。しかし、ハンドルを中立位置まで戻す位置を、カーブ出口点Ｐｏｕｔよりも直線路側の操舵中立戻し位置Ｐｓまで延ばしたことで、乗員Ｈの横Ｇに対抗する抗力Ｆを抜くタイミングがとりやすくなり、抗力Ｆを小さくすることができる。【００８３】  よって、カーブ路走行シーンのカーブ出口付近では、車両の横Ｇの低下によって旋回外側に傾く乗員Ｈの上半身の傾き角度が小さく抑えられるし、抗力Ｆが小さくなるし、抗力Ｆを抜くタイミングがとりやすくなる。このため、比較例に比べ、乗員頭部の揺り返しによる横振れ量が小さく抑えられる。【００８４】  即ち、実施例１での車両の横Ｇ特性は、図６の実線特性ＹＧ２に示すように、カーブ入口点Ｐｉｎから第１中間点Ｐ１までは横Ｇが上昇し、第１中間点Ｐ１と第２中間点Ｐ２までは一定の横Ｇになり、第２中間点Ｐ２から操舵中立戻し位置Ｐｓまでは横Ｇ＝０まで低下する。つまり、比較例での破線特性Ｇ１に比べ、車両の横Ｇの最大値を低下させることができるし、第２中間点Ｐ２から操舵中立戻し位置Ｐｓに向かう横Ｇの低下勾配も緩やかにすることができる。【００８５】  そして、実施例１での乗員横振れ量は、図７の実線特性ＹＳ２に示すように、カーブ入口点Ｐｉｎから操舵中立戻し位置Ｐｓまでの旋回外側への横振れ量と、操舵中立戻し位置Ｐｓ直後の揺り返しによる旋回内側への横振れ量とを合わせた振れ量になる。つまり、カーブ入口点Ｐｉｎから操舵中立戻し位置Ｐｓまでの旋回外側への横振れ量を、比較例よりも小さく抑えることができるし、操舵中立戻し位置Ｐｓ直後の揺り返しによる旋回内側への横振れ量を、比較例よりも小さく抑えることができる。【００８６】  即ち、乗員横振れ量を比較すると、図７に示すように、実施例１の乗員横振れ量は比較例の乗員横振れ量に比べて縮小する。この結果、遭遇頻度が高いカーブ路走行を複数回経験したとしても、乗員の車酔い抑制を実現することができる。【００８７】  ［揺り返しを抑えるカーブ路支援制御作用］
上記のように、操舵中立戻し位置Ｐｓの設定と、旋回走行経路Ｄの演算により揺り返しが抑えられる。更に、旋回走行経路Ｄが演算されると、図３のフローチャートにおいて、Ｓ６からＳ７→Ｓ９へと進み、Ｓ９では、自動運転の走行制御（加速、減速、操舵、サスペンション制御等）に反映するカーブ路支援制御を実行される。以下、カーブ路での揺り返し抑制を支援するカーブ路支援制御作用を、「ステアリング制御作用」、「車速制御作用」、「サスペンション制御作用」、「シート制御作用」に分けて説明する。【００８８】  （ステアリング制御作用）
図８は実施例１でのカーブ路走行中においてカーブ出口付近での戻し操舵速度を切り込み操舵速度より遅らせる作用を示す。以下、図８に基づいてステアリング制御作用を説明する。なお、図８において、Ｌ１は右走路境界、Ｌ２は左走路境界、Ｄｏｕｔは自車Ｖの最外周軌跡、Ｓ１は操舵速度減速区間である。【００８９】  カーブ路走行中におけるステアリング制御での操舵速度は、カーブ入口付近で操舵角を増加させる際の切り込み操舵速度と、カーブ出口付近で操舵角を中立位置まで戻す際の戻し操舵速度とを同じ操舵速度に設定している。これは、自車の旋回走行軌跡をクロソイド曲線に沿ってトレースさせるためである。【００９０】  これに対し、実施例１のステアリング制御では、操舵中立戻し位置Ｐｓが設定されると、操舵中立戻し位置Ｐｓに向かうカーブ出口付近で操舵角を中立位置まで戻す際の戻し操舵速度を、カーブ入口付近で操舵角を増加させる際の切り込み操舵速度より遅くしている。【００９１】  即ち、軌跡追従性よりも車酔い抑制を重視し、図８に示すように、操舵角を中立位置まで戻す操舵速度減速区間Ｓ１において、戻し操舵速度を切り込み操舵速度よりも遅くしている。【００９２】  このように、カーブ出口付近で戻し操舵速度を遅くすると、戻し操舵を開始してから操舵角が中立位置になるまでに要する時間が、操舵速度を切り込み操舵速度と同じにする場合に要する時間よりも長くなる。このため、カーブ出口付近で車両の横Ｇが横Ｇ＝０に向かって低下するときの低下勾配が緩やかになり、戻し操舵による旋回内側への横振れ量がさらに低減されることになる。【００９３】  （車速制御作用）
図９は実施例１でのカーブ路走行中においてカーブ出口付近での車速をカーブ入口付近の車速より減速させる作用を示す。以下、図９に基づいて車速制御作用を説明する。なお、図９において、Ｓ２は一定車速区間、Ｓ３は減速過渡区間、Ｓ４は減速区間である。【００９４】  カーブ路走行中における車速は、カーブ入口からカーブ出口までの車速を一定車速に設定している。これは、自車の旋回走行軌跡をクロソイド曲線に沿ってトレースさせるためである。【００９５】  これに対し、実施例１の車速制御では、操舵中立戻し位置Ｐｓが設定されると、操舵中立戻し位置Ｐｓより手前位置から操舵中立戻し位置Ｐｓへと向かうカーブ出口付近における自車の車速を、カーブ入口付近における自車の車速より遅くしている。【００９６】  即ち、図９に示すように、カーブ入口からカーブ出口までを、一定車速区間Ｓ２と減速過渡区間Ｓ３と減速区間Ｓ４とに分けている。そして、一定車速区間Ｓ２では車速ＶＳＰ１を保ち、減速過渡区間Ｓ３では車速ＶＳＰ１から車速ＶＳＰ２（＜ＶＳＰ１）へと減速し、減速区間Ｓ４では車速ＶＳＰ２を保つようにしている。【００９７】  このように、カーブ出口付近で減速して車速を遅くすると、戻し操舵を開始してから操舵角が中立位置になるまでに要する時間が、一定車速でカーブ路を抜ける場合に要する時間に比べて長くなる。このため、カーブ出口付近で車両の横Ｇが横Ｇ＝０に向かって低下するときの低下勾配が緩やかになり、戻し操舵による旋回内側への横振れ量がさらに低減されることになる。【００９８】  （サスペンション制御作用）
図１０はカーブ路走行中に横Ｇにより車体ロール角が発生する作用を示し、図１１はカーブ路走行でのカーブ出口付近において車体ロール角を水平に戻す速度を遅らせる作用を示す。以下、図１０及び図１１に基づいてサスペンション制御作用を説明する。【００９９】  カーブ路走行において、カーブ出口付近で車体ロール角が水平位置に向かって戻るときのロール角戻り速度は、車体に作用する横Ｇの低下速度にしたがったものになる。【０１００】  これに対し、実施例１のサスペンション制御では、操舵中立戻し位置Ｐｓが設定されると、操舵中立戻し位置Ｐｓに向かうカーブ出口付近で車体ロール角が水平位置まで戻る際のロール角戻し速度を、横Ｇの低下にしたがって水平位置まで戻るときのロール角戻し速度より遅くしている。【０１０１】  即ち、操舵中立戻し位置Ｐｓに向かう前の車体ロール角は、図１０に示すように、旋回内側（ＩＮ側）が高く、旋回外側（ＯＵＴ側）が低いという傾き角度（＝車体ロール角）を持っている。この状態から図１１に示すように、旋回内側（ＩＮ側）と旋回外側（ＯＵＴ側）の車体を水平に戻すとき、ダンパーアクチュエータ５４を用い、ロール角戻し速度を遅くする制御を行っている。【０１０２】  このように、カーブ出口付近で車体のロール角戻し速度を遅くすると、戻し操舵を開始してから車体ロール角が水平位置になるまでに要する時間が、横Ｇの低下にしたがって車体ロール角が水平位置になるまでに要する時間に比べて長くなる。このため、カーブ出口付近で乗員Ｈの上半身を車両内側方向に揺り返す速度が遅くなり、戻し操舵による旋回内側への横振れ量がさらに低減されることになる。【０１０３】  （シート制御作用）
図１２はカーブ路走行中に乗員シートに傾斜角が発生する作用を示し、図１３はカーブ路走行でのカーブ出口付近において乗員シート傾斜角を水平に戻す速度を遅らせる作用を示す。以下、図１２及び図１３に基づいてシート制御作用を説明する。【０１０４】  カーブ路走行において、カーブ出口付近で乗員シートが水平位置に向かって戻るときの乗員シート戻り速度は、車体ロール角が水平位置に向かって戻るときのロール角戻り速度にしたがったものになる。【０１０５】  これに対し、実施例１のシート制御では、操舵中立戻し位置Ｐｓが設定されると、操舵中立戻し位置Ｐｓに向かうカーブ出口付近で乗員シートＳが水平位置まで戻る際のシート戻し速度を、車体ロール角の変化にしたがって水平位置まで戻るときのシート戻し速度より遅くしている。【０１０６】  即ち、操舵中立戻し位置Ｐｓに向かう前の乗員シートＳは、図１２に示すように、車体ロール角に合わせて旋回内側（ＩＮ側）が高く、旋回外側（ＯＵＴ側）が低いという傾き角度（＝乗員シート傾斜角）を持っている。この状態から図１３に示すように、旋回内側（ＩＮ側）と旋回外側（ＯＵＴ側）の乗員シートＳを水平に戻すとき、シートアクチュエータ５５を用い、シート戻し速度を遅くする制御を行っている。【０１０７】  このように、カーブ出口付近で乗員シートＳのシート戻し速度を遅くすると、戻し操舵を開始してから乗員シート傾斜角が水平位置になるまでに要する時間が、車体ロール角の変化にしたがって水平位置になるまでに要する時間に比べて長くなる。このため、カーブ出口付近で乗員シートＳに着座している乗員Ｈの上半身を車両内側方向に揺り返す速度が遅くなり、戻し操舵による旋回内側への横振れ量がさらに低減されることになる。【０１０８】  以上説明したように、実施例１の運転支援方法及び運転支援装置にあっては、下記に列挙する効果を奏する。【０１０９】  （１）自車Ｖが旋回走行経路に沿って走行するように自車Ｖを走行制御する（旋回走行制御コントローラ４０）を備える運転支援方法であって、
自車Ｖの前方道路がカーブ路であるかどうかを検出し、
自車Ｖの前方道路がカーブ路である場合、カーブ出口付近の道路形状を取得し、
自車Ｖがカーブ路から直線路に抜けるときに自車Ｖの操舵角が中立位置に戻る操舵中立戻し位置Ｐｓが、曲線と直線の境界を直線路側に越えた位置であって、且つ、道路幅員の中央位置よりカーブ外側の位置となるように自車Ｖの旋回走行経路Ｄを設定し、
自車Ｖが旋回走行経路Ｄに沿って走行するように走行制御を行う（図３）。
このため、カーブ路走行シーンにおいて、乗員頭部の揺り返しによる車酔いを抑制する運転支援方法を提供することができる。
即ち、操舵中立戻し位置Ｐｓが、カーブ出口付近において乗員の揺り返し横振れ量を低減できる設定とされる。【０１１０】  （２）自車位置と操舵中立戻し位置Ｐｓを結び、カーブ路の道路形状及び道路幅員と自車Ｖの車幅により許容される範囲で、旋回半径を大きくする方向に旋回走行経路Ｄを演算し、自車Ｖが旋回走行経路Ｄに沿って走行するように走行制御を行う（図５）。
このため、カーブ路走行中に発生する横Ｇの大きさが低下することで、乗員頭部の揺り返し横振れ量を低減することができる。
即ち、演算される旋回走行経路Ｄの旋回半径は、カーブ入口点Ｐｉｎとカーブ出口点Ｐｏｕｔを結び、カーブ路の道路形状及び道路幅員と自車Ｖの車幅により許容される範囲で描いた旋回走行経路Ｄ’の旋回半径より大きくなる。【０１１１】  （３）操舵中立戻し位置Ｐｓに向かうカーブ出口付近で自車Ｖの操舵角を中立位置まで戻す際の戻し操舵速度を、カーブ入口付近で自車Ｖの操舵角を増加させる際の切り込み操舵速度より遅くするステアリング制御を行う（図８）。
このため、カーブ出口付近で車両の横加速度（横Ｇ）が横Ｇ＝０に向かって低下するときの低下勾配が緩やかになり、戻し操舵による旋回内側への横振れ量をさらに低減することができる。
即ち、カーブ出口付近で戻し操舵速度を遅くすると、戻し操舵を開始してから操舵角が中立位置になるまでに要する時間が、操舵速度を切り込み操舵速度と同じにする場合に要する時間よりも長くなる。【０１１２】  （４）操舵中立戻し位置Ｐｓより手前位置から操舵中立戻し位置Ｐｓへと向かうカーブ出口付近における自車Ｖの車速を、カーブ入口付近における自車Ｖの車速より遅くする車速制御を行う（図９）。
このため、カーブ出口付近で車両の横Ｇが横Ｇ＝０に向かって低下するときの低下勾配が緩やかになり、戻し操舵による旋回内側への横振れ量をさらに低減ことができる。
即ち、カーブ出口付近で減速して車速を遅くすると、戻し操舵を開始してから操舵角が中立位置になるまでに要する時間が、一定車速でカーブ路を抜ける場合に要する時間に比べて長くなる。【０１１３】  （５）自車Ｖのタイヤと車体との間にダンパーアクチュエータ５４を介装し、
操舵中立戻し位置Ｐｓに向かうカーブ出口付近で自車Ｖの車体ロール角が水平位置まで戻る際のロール角戻し速度を、横加速度（横Ｇ）の低下にしたがって水平位置まで戻るときのロール角戻し速度より遅くするサスペンション制御を行う（図１０、図１１）。
このため、カーブ出口付近で乗員Ｈの上半身を車両内側方向に揺り返す速度が遅くなり、戻し操舵による旋回内側への横振れ量をさらに低減することができる。
即ち、カーブ出口付近で車体のロール角戻し速度を遅くすると、戻し操舵を開始してから車体ロール角が水平位置になるまでに要する時間が、横Ｇの低下にしたがって車体ロール角が水平位置になるまでに要する時間に比べて長くなる。【０１１４】  （６）自車Ｖの乗員シートＳと車体との間にシートアクチュエータ５５を介装し、
操舵中立戻し位置Ｐｓに向かうカーブ出口付近で乗員シートＳが水平位置まで戻る際のシート戻し速度を、車体ロール角の変化にしたがって水平位置まで戻るときのシート戻し速度より遅くするシート制御を行う（図１２、図１３）。
このため、カーブ出口付近で乗員シートＳに着座している乗員Ｈの上半身を車両内側方向に揺り返す速度が遅くなり、戻し操舵による旋回内側への横振れ量をさらに低減することができる。
即ち、カーブ出口付近で乗員シートＳのシート戻し速度を遅くすると、戻し操舵を開始してから乗員シート傾斜角が水平位置になるまでに要する時間が、車体ロール角の変化にしたがって水平位置になるまでに要する時間に比べて長くなる。【０１１５】  （７）自車Ｖが旋回走行経路に沿って走行するように自車Ｖを走行制御する（旋回走行制御コントローラ４０）を備える運転支援装置であって、
コントローラ（旋回走行制御コントローラ４０）は、
自車Ｖの前方道路がカーブ路であるかどうかを検出するカーブ路検出部４０ａと、
自車Ｖの前方道路がカーブ路である場合、カーブ出口付近の道路形状を取得する道路形状取得部４０ｂと、
自車Ｖがカーブ路から直線路に抜けるときに自車Ｖの操舵角が中立位置に戻る操舵中立戻し位置Ｐｓが、曲線と直線の境界を直線路側に越えた位置であって、且つ、道路幅員の中央位置よりカーブ外側の位置となるように自車Ｖの旋回走行経路Ｄを設定する旋回走行経路演算部４０ｅと、
自車Ｖが旋回走行経路Ｄに沿って走行するように走行制御を行うカーブ路支援制御部４０ｆと、を有する（図２）。
このため、カーブ路走行シーンにおいて、乗員頭部の揺り返しによる車酔いを抑制する運転支援装置を提供することができる。【０１１６】  以上、本開示の運転支援方法及び運転支援装置を実施例１に基づき説明してきた。しかし、具体的な構成については、この実施例１に限られるものではなく、請求の範囲の各請求項に係る発明の要旨を逸脱しない限り、設計の変更や追加等は許容される。【０１１７】  実施例１では、カーブ路支援制御部４０ｆからの指令により動作するアクチュエータとして、舵角アクチュエータ５３、駆動アクチュエータ５１、ダンパーアクチュエータ５４、シートアクチュエータ５５を備える例を示した。しかし、カーブ路支援制御部からの指令により動作するアクチュエータとしては、舵角アクチュエータのみを備える例や舵角アクチュエータと駆動アクチュエータを備える例としても良い。さらに、ダンパーアクチュエータやシートアクチュエータ以外のアクチュエータを組み合わせる例であっても良い。【０１１８】  実施例１では、本開示の運転支援方法及び運転支援装置を自動運転モードの選択により駆動／制動／操舵が自動制御される自動運転車両に適用する例を示した。しかし、本開示の運転支援方法及び運転支援装置は、ドライバーによる駆動運転／制動運転／操舵運転のうち一部の運転を支援して走行する運転支援車両であっても良い。さらに、操舵中立戻し位置や旋回走行経路についてモニター表示や音声案内をすることで、ドライバー操作による走行を視覚や聴覚に訴えて支援する運転支援車両であっても適用することができる。
【図１】
0006969685.tif 000002
【図２】
0006969685.tif 000003
【図３】
0006969685.tif 000004
【図４】
0006969685.tif 000005
【図５】
0006969685.tif 000006
【図６】
0006969685.tif 000007
【図７】
0006969685.tif 000008
【図８】
0006969685.tif 000009
【図９】
0006969685.tif 000010
【図１０】
0006969685.tif 000011
【図１１】
0006969685.tif 000012
【図１２】
0006969685.tif 000013
【図１３】
0006969685.tif 000014